(57)【要約】【課題】基台部と腕載せ部とが分離することなく容易に高さ調整を行うことができ、テーブル面との着脱も容易でテーブル面の清掃や遊技機の扉開閉等の作業を簡単に行うことのできる遊技用腕載せ台を提供すること。【解決手段】この遊技用腕載せ台１は、パチンコ台１２の下方に設けられたテーブル面１３ａに載置するための基台部２と、パチンコ台１２を操作して遊技を行う遊技者の腕を載せるための腕載せ部４と、基台部２に対する腕載せ部４の高さ調整を行うための高さ調整部３とを有し、高さ調整部３が折りたたみ構造を有するとともに基台部２と腕載せ部４とに枢着され、かつ、基台部２と腕載せ部４とが高さ調整部３を介して連結された状態で高さ調整が行われる。【選択図】  図１
2004187801.tif 000002
【特許請求の範囲】
【請求項１】
遊技機の下方に設けられたテーブル面に載置するための基台部と、該遊技機を操作して遊技を行う遊技者の腕を載せるための腕載せ部と、前記基台部に対する前記腕載せ部の高さ調整を行うための高さ調整部とを有し、
前記高さ調整部が折りたたみ構造を有するとともに前記基台部と前記腕載せ部とに枢着され、かつ、前記基台部と前記腕載せ部とが前記高さ調整部を介して連結された状態で前記高さ調整が行われることを特徴とする遊技用腕載せ台。
【請求項２】
前記テーブルと対向する前記基台部の下面と、前記遊技者の腕を載せる前記腕載せ部の腕載せ面とが５５ｍｍまでの範囲で高さ調整可能であることを特徴とする請求項１に記載の遊技用腕載せ台。
【請求項３】
前記基台部の下面に粘着シートが設けられるとともに前記腕載せ部の腕載せ面に広告用シートが貼付可能とされ、かつ、前記基台部に前記遊技者の所持品を入れるための小物入れが設けられていることを特徴とする請求項１又は請求項２のいずれかに記載の遊技用腕載せ台。
【発明の詳細な説明】
【０００１】
【発明の属する技術分野】
本発明は、パチンコ台・スロットマシン等の遊技機を用いた遊技の際に用いられる遊技用腕載せ台に関する。
【０００２】
【従来の技術】
従来から、パチンコ台・スロットマシン等の遊技機を用いて遊技を行う際に遊技者が腕を載せるための腕載せ台として、パチンコ台下方前面のテーブル面に基台部分を両面テープで固定するものがある（非特許文献１）。このものによれば、腕載せ部分を手前（すなわち遊技者の側）に引くことにより、腕載せ部分を垂下させるように折りたたむことができる。それにより、遊技機の扉開閉時にも邪魔にならないようになっている。
【０００３】
さらに、吸盤とネジとで基台部分をテーブル面に固定するものもある（非特許文献２）。これによれば、基台部分から腕載せ部分を引き抜いて所望の高さに合わせて差し込むことにより、腕載せ面の高さ調整を行うことができる。
【０００４】
【非特許文献１】
「月刊アミューズメントジャパン」，株式会社アミューズメントプレスジャパン，２００２年６月号，ｐ．１６７
【非特許文献２】
「月刊アミューズメントジャパン」，株式会社アミューズメントプレスジャパン，２００２年７月号，ｐ．１７９
【０００５】
【発明が解決しようとする課題】
しかしながら、上記非特許文献１のものによれば、腕載せ部分の高さ調整ができないので、遊技者の好みの高さに合わせることができない。遊技者によって体格にばらつきがあり、体格に合わない高さで腕載せ台を使用すると、却って遊技者の腕や肩の疲労を増加させてしまうという問題がある。
【０００６】
非特許文献２のものによれば、高さ調整が可能ではあるものの、調整の際に基台部分から腕載せ部分を引き抜いたり差し込んだりする必要があり、高さ調整作業そのものが煩雑となる。基台部分と腕載せ部分とが分離してしまうと、腕載せ部分が紛失してしまったりする場合もある。
【０００７】
さらに、両面テープを用いて腕載せ台をテーブル面に固定すると、テーブル面から腕載せ台を容易に取り外すことができなくなり、テーブル面の清掃時に邪魔になるという問題もある。ネジ固定によればテーブル面からの取り外しはできるが、取り外しの際にわざわざネジを緩めなければならず、作業が面倒となる。
【０００８】
本発明は上記の事情に鑑みて為されたもので、基台部と腕載せ部とが分離することなく容易に高さ調整を行うことができ、また、テーブル面との着脱も容易でテーブル面の清掃や遊技機の扉開閉等の作業を簡単に行うことのできる遊技用腕載せ台を提供することを課題とする。
【０００９】
【課題を解決するための手段】
上記の課題を解決するために、本願の請求項１に記載の遊技用腕載せ台は、遊技機の下方に設けられたテーブル面に載置するための基台部と、遊技機を操作して遊技を行う遊技者の腕を載せるための腕載せ部と、基台部に対する腕載せ部の高さ調整を行うための高さ調整部とを有し、高さ調整部が折りたたみ構造を有するとともに基台部と腕載せ部とに枢着され、かつ、基台部と腕載せ部とが高さ調整部を介して連結された状態で高さ調整が行われることを特徴とする。
【００１０】
請求項２に記載の遊技用腕載せ台は、請求項１に記載の遊技用腕載せ台において、テーブルと対向する基台部の下面と、遊技者の腕を載せる腕載せ部の腕載せ面とが５５ｍｍまでの範囲で高さ調整可能であることを特徴とする。
【００１１】
請求項３に記載の遊技用腕載せ台は、請求項１又は請求項２のいずれかに記載の遊技用腕載せ台において、基台部の下面に粘着シートが設けられるとともに腕載せ部の腕載せ面に広告用シートが貼付可能とされ、かつ、基台部に遊技者の所持品を入れるための小物入れが設けられていることを特徴とする。
【００１２】
【発明の実施の形態】
本発明の実施の形態に係る遊技用腕載せ台を図面を参照しつつ説明する。図１は、遊技用腕載せ台１の外観斜視図である。この遊技用腕載せ台１は、遊技者が、パチンコ台・スロットマシン等の遊技機を用いて遊技を行う際に腕を載せるためのものである。本実施の形態においては、遊技機としてパチンコ台を例にとって説明する。この遊技用腕載せ台１は、基台部２、高さ調整部３、腕載せ部４で大略構成されている。
【００１３】
基台部２は、この遊技用腕載せ台１全体の土台となる部分であり、平面視略長方形を呈している。その基台部２の下面２ａには、後述するテーブル面１３ａ（図５参照）に密着させるための粘着シート５が設けられている。この粘着シート５は、例えばブチル系ゴムやシリコン系ゴム等を材料として形成されており、対象物としてのテーブル面１３ａと繰り返し着脱可能である。
【００１４】
基台部２の側面２ｂには、例えばタバコやライター等の遊技者の所持品を入れるための小物入れ６が設けられている。この小物入れ６は、タバコの箱やいわゆる使い捨てタイプのライター等を立てて置くのに適した形状とされており、それらの形状に合わせて凹部６ａ，６ｂが形成されている。この小物入れ６は、基台部２と一体とされていてもよいし、着脱可能とされていてももちろんよい。
【００１５】
基台部２の上面２ｃには高さ調整部３の一部としての支持部材７の一端７ａが基台部２の幅方向（図１中矢印Ｂ方向）にわたって枢着され、その支持部材７の他端７ｂは腕載せ部４の下面４ａに幅方向にわたって枢着されている。一端７ａを中心として支持部材７が揺動することにより、基台部２と腕載せ部４とが支持部材７を介して連結された状態で基台部２に対する腕載せ部４の高さ調整が可能となっている。
【００１６】
支持部材７の中央部分の支点７ｃには、補助部材８が交差するように軸支されている。この補助部材８は支持部材７とともに、その交差角θに応じて支持部材７の一端７ａ・補助部材８の一端８ａと、支持部材７の他端７ｂ・補助部材８の他端８ｂとの平行関係を保持しつつそれらの間隔を変化させることのできるいわゆる折りたたみ構造を構成している。したがって、この支持部材７と補助部材８とを有して構成される高さ調整部３によって、腕載せ部４の上面（すなわち腕載せ面）４ｂと基台部２の下面２ａとの平行を保持しつつ、基台部２に対する腕載せ部４の高さ調整を行うことができる。
【００１７】
補助部材８の他端８ｂは、図２に示すように腕載せ部４の下面４ａに設けられた係合溝９と係合する。係合溝９は幅方向左右に各７箇所形成され、７段階の高さ調整が可能となっている。調整範囲内で最も高い位置に調整した場合、つまり交差角θを最も小さくした場合は図３に示すように基台部２の下面２ａから腕載せ面４ｂまでの高さｈ１は５５ｍｍに設定されている。
【００１８】
一般にパチンコ台の扉の最下部のテーブル面１３ａからの高さｈ２（図５参照）は５５ｍｍより大きく設定されている。したがって、この遊技用腕載せ台１を最も高い位置に高さ調整した場合であっても、パチンコ台の扉の開閉に支障となることはない。
【００１９】
また、調整範囲内で最も低い位置に調整した場合、つまり交差角θを最も大きくした場合は、図４に示すようにこの遊技用腕載せ台１は折りたたまれて基台部２と腕載せ部４とが当接する。したがって携帯性がよく、この遊技用腕載せ台１を持ち運ぶ場合に便利である。
【００２０】
腕載せ面（腕載せ部４の上面）４ｂは、遊技者の腕を載せるための部分であり、腕に負担がかからないように長さ方向（図１中矢印Ｌ方向）に長く形成されている。この腕載せ面４ｂには、広告用シート１０を貼付するためのスペース１０ａが設けられている。例えば腕載せ面４ｂの周囲を残し、面中央部が広告用シート１０の厚み分だけ凹状に低くされて、広告用シートを貼付するためのスペース１０ａとされ、広告用シート１０が貼付可能となっている。
【００２１】
広告用シート１０の上には、保護シート１１がかぶせられている。この保護シート１１は、例えばクッション性を有する透明の塩化ビニルシート１１を材料としている。
【００２２】
保護シート１１が有するクッション性により、遊技者の腕に負担がかからないようになっている。さらに、その保護シート１１が透明であるので、広告用シート１０の上からかぶせても広告用シート１０を視認でき、かつ、広告用シート１０の破損や汚れを防止する効果も発揮する。
【００２３】
次に、この遊技用腕載せ台１の使用方法について説明する。
【００２４】
図５に示すように、パチンコ台１２の下方前面には、テーブル１３が設けられている。そのテーブル１３のテーブル面（上面）１３ａ上であって、パチンコ台１２のハンドル１４の略直下位置にこの遊技用腕載せ台１を取り付ける。その際、図に示す腕載せ部４の前面４ｃをハンドル１４に対向させるとともに基台部２の下面２ａをテーブル１３に対向させ、その下面２ａに設けられた粘着シート５をテーブル面１３ａに密着させつつ取り付ける。
【００２５】
粘着シート５がテーブル面１３ａに密着しているので、この遊技用腕載せ台１をテーブル面１３ａに確実に固定することができ、遊技者が腕を載せた場合にも不安定になったりすることはない。
【００２６】
遊技者は、この遊技用腕載せ台１を自分の体格等に合わせて所望の高さに高さ調整する。その際、片手で腕載せ部４を上方に引き上げたり下方に引き下げたりしつつ高さ調整を行う。高さ調整部３の支持部材７が基台部２と腕載せ部４とに枢着されているので、それらが連結された状態で片手で容易に高さ調整を行うことができる。また、基台部２、高さ調整部３、腕載せ部４が分離しないので、各部が紛失したりすることはない。
【００２７】
遊技用腕載せ台１を所望の高さに調整した後、遊技者は、この腕載せ面４ｂに腕を載せてハンドル１４を操作してパチンコ（遊技）を行う。腕載せ面４ｂにはクッション性のある保護シート１１がかぶせられており、その上に腕を載せているので腕に負担がかかることもなく、腕や肩が疲れたり痛んだりせずに長時間パチンコを行うことができる。
【００２８】
腕載せ面４ａのスペース１０ａには、広告用シート１０が貼付されている。遊技者は、腕載せ台４ａに腕を載せる際にこの広告用シート１０を見ることとなるので、この遊技用腕載せ台１を宣伝広告媒体として利用することができる。
【００２９】
この遊技用腕載せ台１は、最も高い位置に高さ調整を行った場合でもテーブル面１３ａから腕載せ面４ｃまでの高さが５５ｍｍ以内となっている。したがって、腕載せ面４ｃの高さ位置はテーブル面１３ａからパチンコ台１２の扉１２ａの最下部までの高さｈ２よりも低く扉１２ａを開閉する際に邪魔にならないので、効率よくパチンコ台１２のメンテナンスを行うことができる。
【００３０】
テーブル面１３ａを清掃する際は、この遊技用腕載せ台１をテーブル面１３ａから取り外す。遊技用腕載せ台１は、粘着シート５によってテーブル面１３ａに密着しており、手で容易に取り外すことができるので、清掃作業を効率的に行うことができる。清掃終了後は、また容易に遊技用腕載せ台１をテーブル面１３ａに取り付けることもできる。
【００３１】
この遊技用腕載せ台１を持ち運ぶ際は、高さ調整部３を折りたたんで最も高さの低い状態とする（図４参照）。これにより、この遊技用腕載せ台１はコンパクトとなり、持ち運びが容易となる。
【００３２】
【発明の効果】
以上説明したように、本願の請求項１に係る発明によれば、高さ調整部が折りたたみ構造を有するとともに基台部と腕載せ部とに枢着され、かつ、基台部と腕載せ部とが高さ調整部を介して連結された状態で高さ調整が行われるので、片手で容易に高さ調整を行うことができる。また、基台部と高さ調整部と腕載せ部とが分離しないので、各部が紛失したりすることもない。
【００３３】
請求項２に係る発明によれば、前記テーブルと対向する前記基台部の下面と、遊技者の腕を載せる腕載せ部の腕載せ面とが５５ｍｍまでの範囲で高さ調整可能であるので、遊技機の扉を開閉する際にこの遊技用腕載せ台が邪魔になることはなく、効率よく遊技機のメンテナンスを行うことができる。また、最も低い位置に高さ調整を行うことによって、遊技用腕載せ台がコンパクトになるので持ち運びに便利である。
【００３４】
請求項３に係る発明によれば、基台部の下面に粘着シートが設けられているので、所望の取付け位置への着脱が容易となる。例えば、遊技機の下方前面のテーブル面にその粘着シートを密着させることにより容易に、かつ確実に遊技用腕載せ台を取り付けることができる。また、テーブル面を清掃等行う際には、手で容易に遊技用腕載せ台を取り外すことができる。
【００３５】
腕載せ面に広告用シートが貼付可能とされているので、この遊技用腕載せ台を宣伝広告媒体として利用することができる。また、基台部に遊技者の所持品を入れるための小物入れが設けられているので、例えば遊技者がタバコやライターを手元に置きたい場合に便利である。
【図面の簡単な説明】
【図１】この発明の実施の形態に係る遊技用腕載せ台の外観斜視図である。
【図２】図１に示す遊技用腕載せ台の腕載せ部の下面を示した図である。
【図３】この遊技用腕載せ台を最も高い位置に高さ調整した様子を示す図である。
【図４】この遊技用腕載せ台を最も低い位置に高さ調整した様子を示す図である。
【図５】この遊技用腕載せ台の使用方法を説明するための図であって、遊技用腕載せ台を遊技機の下方前面のテーブル面に取り付けた様子を示す図である。
【符号の説明】
１：遊技用腕載せ台
２：基台部
３：高さ調整部
４：腕載せ部
４ｂ：腕載せ面（上面）
５：粘着シート
６：小物入れ
７：支持部材（高さ調整部の一部）
８：補助部材（高さ調整部の一部）
１０：広告用シート
１２：パチンコ台
１３ａテーブル面
【図１】
2004187801.tif 000003
【図２】
2004187801.tif 000004
【図３】
2004187801.tif 000005
【図４】
2004187801.tif 000006
【図５】
2004187801.tif 000007